(57)【要約】【課題】プリンタ装置の小型化を図りながら、部品が加熱・破壊されるのを防止する。【解決手段】プリンタ装置は、記録媒体にインクを吐出するプリントヘッドを有し、往復移動可能なキャリッジと、キャリッジの往復移動に応じて、第１の方向と当該第１の方向とは反対の方向である第２の方向とに回転する回転体３２と、回転体３２が第１の方向に回転する際に、回転体３２の一部と接触することによって第１の方向に回転するファン３３とを備える。【選択図】図３
2016030405.tif 000002
【特許請求の範囲】
【請求項１】
記録媒体にインクを吐出するプリントヘッドを有し、往復移動可能なキャリッジと、
前記キャリッジの往復移動に応じて、第１の方向と当該第１の方向とは反対の方向である第２の方向とに回転する回転体と、
前記回転体が前記第１の方向に回転する際に、前記回転体の一部と接触することによって前記第１の方向に回転するファンとを備える
プリンタ装置。
【請求項２】
前記回転体は、前記回転体の周面から前記回転体の径方向の前記ファン側に突出する第１の凸部を有し、
前記ファンは、前記回転体が前記第１の方向に回転する際に、前記第１の凸部と掛り合うように前記回転体の方向に突出する第２の凸部を有する
請求項１に記載のプリンタ装置。
【請求項３】
前記ファンは、羽部と、前記羽部と共に回転する基部とを有し、
前記回転体は、中空の筒状の形状を有し、
前記基部は、円柱状の形状を有し、
前記回転体は、前記基部の周囲を囲むように配置されている
請求項１または２に記載のプリンタ装置。
【請求項４】
前記ファンは、羽部と、前記羽部と共に回転する基部とを有し、
前記基部は、一部が中空の筒状の形状を有し、
前記回転体は、円柱状の形状を有し、
前記基部は、前記回転体の周囲を囲むように配置されている
請求項１または２に記載のプリンタ装置。
【請求項５】
前記第１の凸部および第２の凸部の一方は、前記回転体が前記第１の方向と反対方向である第２の方向に回転するときに、前記第１の凸部および前記第２の凸部の他方と掛かり合わないように回避する
請求項２〜４のいずれか１項に記載のプリンタ装置。
【請求項６】
前記第１の凸部および第２の凸部の前記一方は、
前記回転体が前記第２の方向に回転したときに前記他方と接触する面が、前記第１の凸部および前記第２の凸部の前記一方が突出する面に対して、前記第１の凸部および前記第２の凸部の前記他方の動作を妨げない方向に傾斜している
請求項５に記載のプリンタ装置。
【請求項７】
前記第１の凸部および第２の凸部の前記一方は、
前記回転体が前記第１の方向に回転したときに前記他方と接触する面が、前記第１の凸部および前記第２の凸部の前記一方が突出する面に対して垂直である
請求項５に記載のプリンタ装置。
【請求項８】
前記第１の凸部および前記第２の凸部の前記一方は、前記一方が突出する面から陥没する穴部に配置された弾性部材によって支持されている
請求項５に記載のプリンタ装置。
【請求項９】
前記回転体は、前記キャリッジを往復移動させるベルトを保持する従動プーリに連結されている
請求項１〜８のいずれか１項に記載のプリンタ装置。
【請求項１０】
前記プリンタ装置は、
前記プリンタ装置内の温度を検出する温度検出部を備え、
前記温度検出部で検出された温度が所定の値以上の場合に、前記従動プーリから前記回転体へ動力を伝達する
請求項９に記載のプリンタ装置。
【請求項１１】
前記プリンタ装置は、
前記従動プーリに連結された第１のギアを有するクラッチと、
前記クラッチを駆動させる駆動部とを備え、
前記クラッチは、
前記回転体に連結され、前記駆動部によって前記第１のギアと噛み合わされる第２のギアを有する
請求項１０に記載のプリンタ装置。
【発明の詳細な説明】
【技術分野】
【０００１】
本発明は、記録媒体にインクを吐出することにより印刷を行うプリンタ装置に関する。
【背景技術】
【０００２】
印刷を行うためのプリンタ装置として、例えばインクジェットプリンタが知られている。このインクジェットプリンタでは、プリントヘッドを搭載したキャリッジが記録媒体の搬送方向と略直交する方向に往復移動しながら、プリントヘッドのノズルから記録媒体に向けてインクが吐出されることにより、記録媒体に画像が印刷される。
【０００３】
例えば、従来のインクジェットプリンタでは、装置の内部に、電気的な回路が配置されたプリント基板が配置されている。この場合、プリンタ装置の動作に伴い、プリント基板は発熱するので、プリント基板上の電子部品が破壊されるおそれがある。また、プリント基板上に配置された電子部品として高耐熱な部品を使用するとコストが増大する。
【０００４】
そのため、従来のインクジェットプリンタには、冷却用のファンが設けられている（例えば、特許文献１参照）。このファンは、一方向のみに回転し、熱せられた気体をインクジェットプリンタの外へ排出する。これにより、インクジェットプリンタの動作中（印刷中）にファンを回転させることにより、プリント基板に気流を送り、プリント基板を冷却している。
【先行技術文献】
【特許文献】
【０００５】
【特許文献１】特開２００５−８６４９４号公報
【発明の概要】
【発明が解決しようとする課題】
【０００６】
しかしながら、従来のインクジェットプリンタではクラッチ方式を採用しており、ファンを一方向に回転させるために複数のギアが設けられている。したがって、部品点数が多くなり、インクジェットプリンタの小型化が難しいといった問題がある。
【０００７】
本発明は、上述した課題を解決しようとするものであり、プリンタ装置の小型化を図りながら、部品が加熱・破壊されるのを防止するプリンタ装置を提供することを目的とする。
【課題を解決するための手段】
【０００８】
上記目的を達成するために、本発明の一態様に係るプリンタ装置は、記録媒体にインクを吐出するプリントヘッドを有し、往復移動可能なキャリッジと、前記キャリッジの往復移動に応じて、第１の方向と当該第１の方向とは反対の方向である第２の方向とに回転する回転体と、前記回転体が前記第１の方向に回転する際に、前記回転体の一部と接触することによって前記第１の方向に回転するファンとを備える。
【０００９】
本態様によれば、回転体は、キャリッジを駆動するためのモータの駆動力を利用して回転するので、キャリッジを往復移動させるモータの回転方向が第１の方向の場合、回転体は、第１の方向に回転する。このとき、ファンは、回転体の一部と接触することによって、第１の方向に回転し、ファンからファン前方に向けて気流が押し出される。その後、キャリッジを往復移動させるモータの回転方向が第１の方向と反対方向である第２の方向になると、ファンは、慣性力によって引き続きモータの回転方向が第１の方向の場合と同一の方向に回転する。したがって、ファンからファン前方に向けて気流が押し出される。よって、キャリッジを往復移動させるモータの回転方向が第１の方向および第２の方向のいずれの方向であっても、ファンからファン前方に向けて気流が押し出される。これにより、筐体で発生した熱により加熱された空気を、筐体の外に排出し、熱により部品が破壊されるのを防止することができる。
【００１０】
例えば、本発明の一態様に係るプリンタ装置において、前記回転体は、前記回転体の周面から前記回転体の径方向の前記ファン側に突出する第１の凸部を有し、前記ファンは、前記回転体が前記第１の方向に回転する際に、前記第１の凸部と掛り合うように前記回転体の方向に突出する第２の凸部を有してもよい。
【００１１】
本態様によれば、回転体が前記第１の方向に回転する際に、回転体の周面から回転体の径方向のファン側に突出する第１の凸部と、ファンに設けられた第２の凸部とが接触、より詳細には、掛かり合うことにより、ファンを回転することができる。
【００１２】
例えば、本発明の一態様に係るプリンタ装置において、前記ファンは、羽部と、前記羽部と共に回転する基部とを有し、前記回転体は、中空の筒状の形状を有し、前記基部は、円柱状の形状を有し、前記回転体は、前記基部の周囲を囲むように配置されていてもよい。
【００１３】
本態様によれば、回転体の回転軸上にとファンの羽部の中心を設けることができるので、安定して羽部を回転することができる。
【００１４】
例えば、本発明の一態様に係るプリンタ装置において、前記ファンは、羽部と、前記羽部と共に回転する基部とを有し、前記基部は、一部が中空の筒状の形状を有し、前記回転体は、円柱状の形状を有し、前記基部は、前記回転体の周囲を囲むように配置されていてもよい。
【００１５】
本態様によれば、ファンの羽部の大きさが大きい場合にも、羽部を基部に安定して配置することができる。したがって、安定して羽部を回転することができる。
【００１６】
例えば、本発明の一態様に係るプリンタ装置において、前記第１の凸部および第２の凸部の一方は、前記回転体が前記第１の方向と反対方向である第２の方向に回転するときに、前記第１の凸部および前記第２の凸部の他方と掛かり合わないように回避してもよい。
【００１７】
本態様によれば、一方向に羽部を回転させることができるので、一方向の気流を起こすことができる。よって、プリンタ装置を効率よく冷却することができる。
【００１８】
例えば、本発明の一態様に係るプリンタ装置において、前記第１の凸部および第２の凸部の前記一方は、前記回転体が前記第２の方向に回転したときに前記他方と接触する面が、前記第１の凸部および前記第２の凸部の前記一方が突出する面に対して、前記第１の凸部および前記第２の凸部の前記他方の動作を妨げない方向に傾斜していてもよい。
【００１９】
本態様によれば、第１の凸部と第２の凸部とが容易に掛かり合うので、容易に一方向に羽部を回転させることができる。したがって、容易に一方向の気流を起こすことができる。
【００２０】
例えば、本発明の一態様に係るプリンタ装置において、前記第１の凸部および第２の凸部の前記一方は、前記回転体が前記第１の方向に回転したときに前記他方と接触する面が、前記第１の凸部および前記第２の凸部の前記一方が突出する面に対して垂直であってもよい。
【００２１】
本態様によれば、第１の凸部または第２の凸部を容易に穴に収容し、穴の外に素早く復帰させることができる。
【００２２】
例えば、本発明の一態様に係るプリンタ装置において、前記第１の凸部および前記第２の凸部の前記一方は、前記一方が突出する面から陥没する穴部に配置された弾性部材によって支持されていてもよい。
【００２３】
本態様によれば、第１の凸部または第２の凸部を穴の中に素早く収容し、弾性力によって穴の外に素早く復帰させることができる。
【００２４】
例えば、本発明の一態様に係るプリンタ装置において、前記回転体は、前記キャリッジを往復移動させるベルトを保持する従動プーリに連結されていてもよい。
【００２５】
本態様によれば、回転体は、従動プーリ、タイミングベルトおよび駆動プーリを介して、キャリッジを駆動するためのモータの駆動力を利用して回転するので、ファンを回転させるための専用のモータを用意する必要がない。これにより、プリンタ装置の部品点数を低減することができ、プリンタ装置の小型化を図ることができる。また、ファンは、プリンタ装置のキャリッジを往復移動させるためのモータが連結されていない従動プーリに固定されているので、プリンタ装置内の空きスペースを有効に活用することができる。これにより、プリンタ装置の省スペース化および小型化を実現することができる。
【００２６】
例えば、本発明の一態様に係るプリンタ装置において、前記プリンタ装置は、前記プリンタ装置内の温度を検出する温度検出部を備え、前記温度検出部で検出された温度が所定の値以上の場合に、前記従動プーリから前記回転体へ動力を伝達してもよい。
【００２７】
本態様によれば、プリンタ装置内の温度が上述した所定値より高い場合にのみファンを回転させることができる。したがって、効率よくファンを動作させて、プリンタ装置から発生した熱により加熱された空気を筐体の外に排出することができる。
【００２８】
例えば、本発明の一態様に係るプリンタ装置において、前記プリンタ装置は、前記従動プーリに連結された第１のギアを有するクラッチと、前記クラッチを駆動させる駆動部とを備え、前記クラッチは、前記回転体に連結され、前記駆動部によって前記第１のギアと噛み合わされる第２のギアを有してもよい。
【００２９】
本態様によれば、クラッチによりモータの回転を冷却部に伝達することにより、プリンタ装置内の温度が上述した所定値より高い場合にのみ、ファンを回転させることができる。したがって、効率よくファンを動作させて、プリンタ装置から発生した熱により加熱された空気を筐体の外に排出することができる。
【発明の効果】
【００３０】
本発明の一態様に係るプリンタ装置によれば、プリンタ装置の小型化を図りながら、部品が加熱・破壊されるのを防止することができる。
【図面の簡単な説明】
【００３１】
【図１】実施の形態１に係るプリンタ装置の外観を示す斜視図である。
【図２Ａ】実施の形態１に係るプリンタ装置の内部構造の一部を示す斜視図である。
【図２Ｂ】実施の形態１に係るプリンタ装置の内部構造の一部を示す正面図である。
【図３】実施の形態１に係るプリンタ装置の冷却部の概略構成図である。
【図４Ａ】実施の形態１に係るプリンタ装置のファンの動作を示す平面図である。
【図４Ｂ】実施の形態１に係るプリンタ装置のファンの動作を示す平面図である。
【図５】実施の形態１に係るプリンタ装置の動作の一例を示す図である。
【図６】実施の形態２に係るプリンタ装置の冷却部の概略構成図である。
【図７Ａ】実施の形態２に係るプリンタ装置のファンの動作を示す平面図である。
【図７Ｂ】実施の形態２に係るプリンタ装置のファンの動作を示す平面図である。
【図８Ａ】実施の形態３に係るプリンタ装置の冷却部の概略構成図である。
【図８Ｂ】実施の形態３に係るプリンタ装置の冷却部の動作を示す概略構成図である。
【図９Ａ】実施の形態４に係るプリンタ装置のファンの動作を示す平面図である。
【図９Ｂ】実施の形態４に係るプリンタ装置のファンの動作を示す平面図である。
【発明を実施するための形態】
【００３２】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３３】
（実施の形態１）
［プリンタ装置の外部構造］
まず、図１を参照しながら、実施の形態１に係るプリンタ装置２の外部構造について説明する。図１は、実施の形態１に係るプリンタ装置２の外観を示す斜視図である。
【００３４】
図１に示すように、プリンタ装置２は、筐体４を備えている。筐体４のリアパネル４ａには、印刷前の記録媒体６をセットするための給紙トレイ８が設けられている。なお、記録媒体６は、例えば普通紙又は写真用紙等である。筐体４のフロントパネル４ｂには、印刷された記録媒体６が排出される排紙トレイ１０が設けられている。筐体４のフロントパネル４ｂには、さらに、各種の操作を実行するための操作部１２が設けられている。
【００３５】
［プリンタ装置の内部構造］
次に、図２Ａおよび図２Ｂを参照しながら、プリンタ装置２の内部構造について説明する。図２Ａは、実施の形態１に係るプリンタ装置２の内部構造を示す斜視図である。図２Ｂは、実施の形態１に係るプリンタ装置２の内部構造の一部を示す正面図である。
【００３６】
図２Ａに示すように、プリンタ装置２の筐体４の内部には、フレーム２０が配置されている。フレーム２０は、筐体４の底部に支持されており、筐体４の一方の側部から他方の側部までＸ軸方向に延びている。フレーム２０には、駆動プーリ２２と、従動プーリ２４と、駆動プーリ２２とおよび従動プーリ２４に巻き掛けられたタイミングベルト２６と、タイミングベルト２６によりライン状に往復移動するキャリッジ２８とが配置されている。
【００３７】
なお、フレーム２０の両端部には、一対のサイドフレームが連結されており、相互に対向して配置されている。フレーム２０の上端部には、トップフレームが連結されており、一対のサイドフレームの各々の上端部に架け渡されるようにして配置されている。
【００３８】
一対のサイドフレームの間には、ガイドシャフト２１が架け渡されている。ガイドシャフト２１は、記録媒体６の搬送方向と略直交する方向（図１に示すＸ軸方向）に延びている。ガイドシャフト２１には、キャリッジ２８が移動自在に支持されている。
【００３９】
キャリッジ２８には、複数のプリントヘッド（図示せず）が交換可能に搭載されている。複数の記録ヘッドにはそれぞれ、例えば、ブラック、シアン、マゼンタ及びイエローの各色のインクが充填されている。複数の記録ヘッドの各々は、ノズルが記録媒体６に対向するようにして、キャリッジ２８に搭載されている。
【００４０】
記録媒体６に画像を印刷する際には、キャリッジ２８は、後述する駆動機構によって、ガイドシャフト２１に沿ってライン状に往復移動する。また、記録媒体６は、筐体４の内部に配置された搬送機構（図示せず）によって、図２Ｂ中の矢印Ｐで示す方向に搬送される。この状態で記録ヘッドのノズルから記録媒体６に向けてインクが吐出されることにより、記録媒体６に画像が印刷される。
【００４１】
［キャリッジの駆動機構］
次に、図２Ｂを参照しながら、上述したキャリッジ２８を駆動するための駆動機構について説明する。
【００４２】
駆動プーリ２２にはモータ（駆動源を構成する）が連結されている。モータは、キャリッジ２８を駆動するためのサーボモータである。図２Ｂにおいて、モータは、フレーム２０に対して駆動プーリ２２が設けられた側の面と反対側の面に設けられ、上述したフレーム２０に支持されている。
【００４３】
駆動プーリ２２は、モータの出力軸の端部に固定されている。モータの出力軸が回転することにより、駆動プーリ２２は、モータの出力軸と一体に回転する。モータは、正方向又は逆方向に回転可能である。
【００４４】
従動プーリ２４は、フレーム２０に回転自在に支持されている。
【００４５】
タイミングベルト２６は、例えば、無端状の歯付きベルトであり、駆動プーリ２２及び従動プーリ２４に回転自在に巻き掛けられている。タイミングベルト２６は、モータの回転運動をキャリッジ２８の往復運動に変換するためのものである。タイミングベルト２６は、駆動プーリ２２の回転に連動して回転する。
【００４６】
なお、本実施の形態において、駆動プーリ２２および従動プーリ２４は、それぞれ本発明における駆動プーリおよび従動プーリに相当する。
【００４７】
タイミングベルト２６は、アクチュエータのシャフト部（図示せず）により、一部が下方に押圧される。これにより、キャリッジ２８とタイミングベルト２６とが相互に連結される。この状態で、駆動プーリ２２に連結されたモータが正方向と逆方向とに交互に回転することにより、キャリッジ２８がタイミングベルト２６により牽引されながらガイドシャフト２１に沿って往復移動する。
【００４８】
［冷却機構］
次に、図３〜図５を参照しながら、本実施の形態のプリンタ装置２の特徴である、冷却機構について説明する。図３は、本実施の形態１に係るプリンタ装置２の冷却部を模式的に示す図である。図４Ａは、本実施の形態１に係るプリンタ装置２のファンの動作を示す平面図である。図４Ｂは、本実施の形態１に係るプリンタ装置２のファンの動作を示す平面図である。図５は、本実施の形態１に係るプリンタ装置２の動作の一例を示す図である。
【００４９】
図３に示すように、本実施の形態１に係るプリンタ装置２は、筐体４内で発生した熱を、筐体４の外に排出するための冷却部３０を有する。筐体４内において、熱は主としてプリント基板上に配置された電気回路で発生する。
【００５０】
冷却部３０は、回転体３２と、ファン３３とを備えている。冷却部３０の回転体３２は、軸２７を介して従動プーリ２４と連結されている。
【００５１】
回転体３２は、キャリッジ２８を駆動するためのモータの駆動力を利用して回転する。回転体３２は、中空の筒状の形状、具体的には、円筒状の側壁と、円筒状の回転体の底面を構成する円状の底壁とで構成され、後述するファン３３の基部３４の周囲を囲むように配置されている。図３に示すように、円筒内部の底面の中央付近の底壁には、基部３４を支持するための支持穴が設けられている。支持穴は、円筒状の開口部３２ａおよび内空部３２ｂとを有している。開口部３２ａの直径は、内空部３２ｂの直径よりも小さく形成されている。回転体３２は、モータが正方向に回転する際には第１の方向（図４Ａ中の矢印方向）に回転し、モータが逆方向に回転する際には上記第１の方向と反対方向である第２の方向（図４Ｂ中の矢印方向）に回転する。
【００５２】
ファン３３は、基部３４と、羽部３５とを有している。基部３４は、羽部３５と共に回転する。ファン３３は、後に詳述するように、回転体３２が第１の方向に回転する際に、回転体３２の一部である爪３６とファン３３の一部である爪３８とが接触することによって第１の方向に回転する。
【００５３】
基部３４は、略円盤状の形状を有し、円盤状の一方の面に羽部３５が固定されている。また、基部３４の羽部３５が固定された面と反対側の面には、回転体３２の支持穴に支持される支持部を有している。支持部は、回転体３２の開口部３２ａおよび内空部３２ｂにそれぞれ嵌め合わされることで回転可能に支持される第１の支持部３４ａと第２の支持部３４ｂとを有している。
【００５４】
羽部３５は、複数枚のブレードが等角度に配置され、一体に形成された構成である。複数枚のブレードは、ファン３３が第１の方向に回転したときに、ファン３３からファン３３の前方に向けて気流が押し出されるように、基部３４の円盤状の面に対しての角度が調整されている。
【００５５】
また、図３、図４Ａおよび図４Ｂに示すように、回転体３２およびファン３３は、それぞれ爪３６および３８を有している。爪３６および爪３８は、回転体３２が第１の方向に回転する際に掛かり合うように、以下のように構成されている。
【００５６】
回転体３２は、円筒状の側壁の内周側に突出した、略三角柱状の形状を有する爪３６を有している。図４Ａに示すように、爪３６は、回転体３２を回転の軸方向からみたときに、三角形の一辺を構成する面が回転体３２の内周に固定されている。爪３６の三角形の他の一辺を構成する面３６ａは、回転体３２の内周面に対して垂直に形成され、残りの一辺を構成する面３６ｂは、爪３６が突出する回転体３２の内周面に対して、爪３８の動作を妨げない方向に傾斜している。ここでいう垂直とは、厳密に垂直（９０°）であることに限らず、実質的に垂直であることをいう。なお、面３６ａおよび面３６ｂは、それぞれ本発明における第２の面および第１の面に相当する。
【００５７】
ファン３３は、基部３４の側壁の外周に、略三角柱状の形状を有する爪３８を有している。なお、図４Ａおよび図４Ｂでは、羽部３５の図示を省略している。図４Ａに示すように、爪３８は、ファン３３の基部３４を回転の軸方向からみたときに、爪３８が突出する面（基部３４の周面）から陥没する穴３７ａ内に配置された弾性部材３７ｂによって支持されている。すなわち、爪３８は、後に詳述するように、三角形の一辺を構成する面が、基部３４の側壁に形成された穴３７ａ内に配置された弾性部材３７ｂにより支持されている。爪３８の三角形の他の一辺を構成する面３８ａは、基部３４の外周面に対して垂直に形成され、残りの一辺を構成する面３８ｂは、爪３８が突出する基部３４の外周面に対して、爪３６の動作を妨げない方向に傾斜している。ここでいう垂直とは、厳密に垂直（９０°）であることに限らず、実質的に垂直であることをいう。なお、面３８ａおよび面３８ｂは、それぞれ本発明における第２の面および第１の面に相当する。
【００５８】
この構成により、爪３８は、外部から押圧される力を受けた場合には基部３４の側壁に形成された穴３７ａ内に徐々に収容され、押圧される力を受けないときは基部３４の穴３７ａから突出する。
【００５９】
なお、上述した弾性部材３７ｂとしては、例えば、バネ機構が用いられるが、爪３８を支持する弾性部材３７ｂは、上述したバネ機構に限らず、弾性を有する部材であればよい。
【００６０】
爪３６と爪３８との配置関係は、図４Ａおよび図４Ｂに示すように、爪３６の面３６ａと爪３８の面３８ａとが対向し、爪３６の面３６ｂと爪３８の面３８ｂとが対向する配置となっている。この構成により、後述するように、回転体３２が第１の方向に回転したときには、爪３８と爪３６とは掛かり合う。また、回転体３２が第１の方向と反対方向の第２の方向に回転したときには、爪３８は、爪３６から押圧される力を受けてファン３３の基部３４の穴３７ａ内に徐々に収容されることにより、爪３６と掛かり合わないように爪３６を回避する。
【００６１】
なお、本実施の形態において、爪３６および爪３８は、それぞれ、本発明における第１の凸部および第２の凸部に相当する。
【００６２】
［冷却動作］
次に、図４Ａ、図４Ｂおよび図５を参照して、上述した冷却機構によるプリント基板の冷却動作について説明する。図５は、本実施の形態１に係るプリンタ装置２の動作の一例を示す図である。
【００６３】
プリンタ装置２において、キャリッジ２８がホーム位置で待機している状態で印刷が開始されると、モータが正方向と逆方向とに交互に回転することにより、キャリッジ２８がガイドシャフト２１に沿って往復移動をする。このとき、給紙トレイ８にセットされた記録媒体６は、搬送機構によって排紙トレイ１０に向けて搬送される。この状態で、キャリッジ２８に保持されているプリントヘッドのノズルから記録媒体６に向けてインクが吐出されることにより、記録媒体６に画像が印刷される。
【００６４】
キャリッジ２８の往復移動は、詳細には以下のようにして行われる。
【００６５】
モータに連結された駆動プーリ２２は、モータの回転に伴って、第１の方向と第２の方向とに交互に回転する。これにより、駆動プーリ２２に巻き掛けられたタイミングベルト２６は、駆動プーリ２２の回転に伴って、第１の方向と第２の方向とに交互に移動する。また、タイミングベルト２６が巻き掛けられた従動プーリ２４も、タイミングベルト２６の移動に伴って、第１の方向と第２の方向とに交互に回転する。これにより、タイミングベルト２６に巻き掛けられたキャリッジ２８は、ガイドシャフト２１に沿って往復移動をする。
【００６６】
このとき、冷却部３０において、従動プーリ２４に連結された回転体３２は、従動プーリ２４の回転に伴って第１の方向と第２の方向とに交互に回転する。そして、回転体３２に支持されたファン３３は、以下のように動作する。
【００６７】
図４Ａに示すように、回転体３２が第１の方向に回転するときは、回転体３２に配置された爪３６の面３６ａとファン３３の基部３４に配置された爪３８の面３８ａとが掛かり合い、爪３８は爪３６から第１の方向に押圧される力を受ける。これにより、ファン３３は、第１の方向に回転移動し、ファン３３からファン３３の前方に向けて気流が押し出される。
【００６８】
その後、図４Ｂに示すように、回転体３２が第２の方向に回転するときには、回転体３２に配置された爪３６の面３６ｂは、ファン３３の基部３４に配置された爪３８の面３８ｂに接触する。爪３８の面３８ｂは、爪３６が第２の方向に回転する動作を妨げない方向に傾斜しているので、爪３６から押圧される力を受け、押圧される力の大きさに応じて基部３４の穴３７ａ内に徐々に収容される。そして、爪３６が爪３８の頂点を通過すると、爪３６から押圧される力が解除されるので、爪３８は弾性部材３７ｂの弾性力により基部３４の穴３７ａから再度突出する。したがって、ファン３３は第２の方向に回転することはなく、第１の方向に回転し続ける。
【００６９】
その後、回転体３２が第１の方向に再度回転すると、上述したように、回転体３２に配置された爪３６の面３６ａとファン３３の基部３４に配置された爪３８の面３８ａとが掛かり合う。これにより、爪３８は爪３６から第１の方向に押圧される力を受け、ファン３３は、第１の方向に回転移動する。
【００７０】
以上のような動作により、回転体３２が第１の方向および第２の方向のいずれの方向に回転する場合であっても、ファン３３は第１の方向のみに回転し、ファン３３からファン３３の前方に向けて気流が押し出される。
【００７１】
なお、回転体３２が第２の方向に回転するときは、爪３８と爪３６との間の摩擦力等により、回転体３２が第１の方向に回転する場合と比べて、ファン３３の回転速度が遅くなる場合もある。この場合であっても、ファン３３は第２の方向に回転することはなく、ファン３３からファン３３の前方に向けて気流が押し出される。
【００７２】
また、回転体３２が第１の方向に回転後静止した場合であっても、ファン３３は、ファン３３の慣性力により、回転体３２が第２の方向に回転する場合と同様に、爪３６と爪３８が掛かり合うことなく第１の方向に回転を続けることができる。
【００７３】
さらに、図５に示すように、筐体４は、空気を筐体４の外部に排出するための排気口４２を有している。プリント基板で発生した熱により加熱された空気は、ファン３３からファン３３の前方に向けて押し出された気流によって、プリンタ装置２の筐体４に設けられた排気口４２から筐体４の外部に排出される。なお、排気口４２には、筐体４内への異物の侵入を防止するための、例えばメッシュ状のカバー部材が取り付けられていてもよい。
【００７４】
以上のように、キャリッジ２８を往復移動させるモータの回転方向が第１の方向および第２の方向のいずれの方向であっても、ファン３３からファン３３の前方に向けて気流が押し出される。これにより、筐体４で発生した熱により加熱された空気は筐体４の外に排出され、熱により部品が破壊されるのを防止することができる。
【００７５】
［効果］
上述したように、キャリッジ２８を往復移動させるモータの回転方向が第１の方向および第２の方向のいずれの方向であっても、ファン３３からファン３３の前方に向けて気流が押し出される。これにより、筐体４で発生した熱により加熱された空気を、筐体４の外に排出し、熱により部品が破壊されるのを防止することができる。
【００７６】
また、ファン３３は、モータが連結されていない従動プーリ２４に固定されているので、プリンタ装置２内のスペースを有効に活用することができる。これにより、プリンタ装置２の省スペース化および小型化を実現することができる。
【００７７】
さらに、冷却部３０は、従動プーリ２４、タイミングベルト２６および駆動プーリ２２を介して、キャリッジ２８を駆動するためのモータの駆動力を利用して回転するので、ファンを回転させるための専用のモータを用意する必要がない。これにより、プリンタ装置２の部品点数を低減することができ、プリンタ装置２の小型化を図ることができる。
【００７８】
（実施の形態２）
次に、図６、図７Ａおよび図７Ｂを参照しながら、実施の形態２に係るプリンタ装置の構成について説明する。図６は、実施の形態２に係るプリンタ装置の冷却部の概略構成図である。図７Ａおよび図７Ｂは、実施の形態２に係るプリンタ装置のファンの動作を示す平面図である。なお、以下に示す各実施の形態において、上記実施の形態１と同一の構成要素には同一の符号を付して、その説明を省略する。
【００７９】
本実施の形態に係るプリンタ装置が、実施の形態１に係るプリンタ装置と異なる点は、ファン１３３が回転体１３２の外側に配置されている点である。
【００８０】
図６に示すように、本実施の形態に係るプリンタ装置２では、冷却部１３０は、軸１２７を介して従動プーリ２４と連結されている。冷却部１３０は、回転体１３２と、ファン１３３とを備えている。
【００８１】
ファン１３３は、基部１３４と、羽部１３５とを有している。基部１３４は、中空の筒状の形状、具体的には、円筒状の側壁と、円筒状の回転体の底面を構成する円状の底壁とで構成され、後述する回転体１３２の周囲を囲むように配置されている。また、円筒状の側壁の周縁には、羽部１３５が固定されている。
【００８２】
羽部１３５は、複数枚のブレードが等角度に配置され、一体に形成された構成である。複数枚のブレードは、ファン１３３が第１の方向に回転したときに、ファン１３３からファン１３３の前方に向けて気流が押し出されるように、回転体１３２の円盤状の面に対しての角度が調整されている。
【００８３】
また、円状の底壁には、回転体１３２を支持するための支持穴が設けられている。支持穴は、円筒状の開口部１３４ａおよび内空部１３４ｂとを有している。開口部１３４ａの直径は、内空部１３４ｂの直径よりも小さく形成されている。
【００８４】
回転体１３２は、キャリッジ２８を駆動するためのモータの駆動力を利用して回転する。
【００８５】
回転体１３２は、略円盤状の形状を有している。また、回転体１３２が配置された側と反対側の面には、基部１３４の支持穴に支持される支持部を有している。支持部は、基部１３４の開口部１３４ａおよび内空部１３４ｂにそれぞれ嵌め合わされることで回転可能に支持される第３の支持部１３２ａと第４の支持部１３２ｂとを有している。
【００８６】
また、回転体１３２は、軸１２７を介して従動プーリ２４と連結されている。回転体１３２は、モータが正方向に回転する際には第１の方向（図４Ａ中の矢印方向）に回転し、モータが逆方向に回転する際には上記第１の方向と反対方向である第２の方向（図４Ｂ中の矢印方向）に回転する。
【００８７】
また、図６、図７Ａおよび図７Ｂに示すように、回転体１３２およびファン１３３は、それぞれ爪１３６および１３８を有している。爪１３６および爪１３８の構成は、上記した実施の形態１で示した爪３８および爪３６と同様であるため、詳細な説明は省略する。なお、図７Ａおよび図７Ｂでは、羽部１３５の図示を省略している。
【００８８】
爪１３６は、回転体１３２の側壁に形成された穴１３７ａ内に配置された弾性部材１３７ｂにより支持されている。爪１３６は、外部から押圧される力を受けたときは、押圧される力の大きさに応じて回転体１３２の外周に形成された穴１３７ａ内に徐々に収容され、押圧される力が解除されたときは回転体１３２の穴１３７ａから突出する。
【００８９】
なお、本実施の形態において、爪１３６および爪１３８は、それぞれ、本発明における第１の凸部および第２の凸部に相当する。
【００９０】
以上のような構成により、回転体１３２が第１の方向および第２の方向のいずれの方向に回転する場合であっても、ファン１３３は第１の方向のみに回転し、ファン１３３からファン１３３の前方に向けて気流が押し出される。これにより、筐体４で発生した熱により加熱された空気は筐体４の外に排出され、熱により部品が破壊されるのを防止することができる。
【００９１】
（実施の形態３）
次に、図８Ａおよび図８Ｂを参照しながら、実施の形態３に係るプリンタ装置の構成について説明する。図８Ａは、実施の形態３に係るプリンタ装置の冷却部の概略構成図である。図８Ｂは、実施の形態３に係るプリンタ装置の冷却部の動作を示す概略構成図である。
【００９２】
本実施の形態に係るプリンタ装置が、実施の形態１に係るプリンタ装置と異なる点は、温度検出部により検出された温度が所定の値以上の場合に、ファンにモータの駆動力が伝達され、温度検出部により検出された温度が所定の値より小さい場合には、ファンにモータの駆動力が伝達されない点である。
【００９３】
図８Ａおよび図８Ｂに示すように、本実施の形態に係るプリンタ装置２では、従動プーリ２４と冷却部３０との間にクラッチ２２８が配置されている。また、クラッチ２２８には、クラッチ２２８を駆動させる駆動部２３６が設けられている。
【００９４】
クラッチ２２８は、ギア２２９とギア２３０とを備えている。ギア２２９は、軸２２７に固定されている。すなわち、ギア２２９は、従動プーリ２４に固定されている。ギア２３０は、ギア２２９と対向する位置に配置されている。ギア２３０は、軸２３２に固定され、軸２３２は、軸受部２３４に回転可能に支持されている。軸受部２３４には、シャフト２３７が固定されている。シャフト２３７は、駆動部２３６に動作自在に支持されている。なお、ギア２２９およびギア２３０は、それぞれ、本発明における第１のギアおよび第２のギアに相当する。
【００９５】
駆動部２３６は、例えば電磁ソレノイドで構成されている。駆動部２３６の動作により、シャフト２３７は、駆動部２３６に対して相対的に、図８Ａにおける上下方向（すなわち、プリンタ装置２におけるＺ軸方向）に動作する。したがって、軸受部２３４および軸受部２３４に支持されているギア２３０は、上下方向に動作する。これにより、ギア２３０は、ギア２２９と噛み合わされたり解除されたりする。
【００９６】
ギア２３０がギア２２９と噛み合った場合、従動プーリ２４の回転は、軸２２７、ギア２２９および２３０、軸２３２を介して、冷却部３０に伝達される。そして、実施の形態１に示したのと同様に、冷却部３０が動作し、ファン３３からファン３３の前方に向けて気流が押し出される。
【００９７】
また、本実施の形態にかかるプリンタ装置２は、プリンタ装置２の内部に温度検出部４０を備えている。温度検出部４０は、プリント基板状に配置されている。
【００９８】
温度検出部４０で検出された温度が所定値（例えば４０℃）より小さい場合には、駆動部２３６は、ギア２３０がギア２２９と噛み合わないように、シャフト２３７を上方向に動作させる。ギア２３０がギア２２９とが噛み合っていない場合には、駆動部２３６は動作せず、ギア２３０がギア２２９とが噛み合っていない状態を維持する。これにより、従動プーリ２４の回転は冷却部３０には伝達されず、ファン３３は回転しない。
【００９９】
温度検出部４０で検出された温度が、上述した所定値以上の場合には、駆動部２３６は、シャフト２３７を下方向に動作させる。これにより、ギア２３０は、ギア２２９と噛み合い、従動プーリ２４の回転が冷却部３０に伝達される。これにより、ファン３３は回転し、プリンタ装置から発生した熱により加熱された空気は、筐体４の外に排出される。
【０１００】
なお、プリンタ装置２は、駆動部２３６およびクラッチ２２８の動作により従動プーリ２４から冷却部３０への回転の伝達を遮断することに限らず、駆動部２３６およびクラッチ２２８を備えない他の構成により、従動プーリ２４から冷却部３０への回転の伝達を遮断してもよい。例えば、従動プーリ２４と冷却部３０とを連結する軸を抜き差し可能な構成とすることにより、温度検出部４０で検出された温度が上述した所定値より高い場合に、当該軸を従動プーリ２４から抜くことで、従動プーリ２４と冷却部３０との連結を直接解除する構成であってもよい。
【０１０１】
以上、本実施の形態に係るプリンタ装置２によると、プリンタ装置内の温度が上述した所定値より高い場合にのみ、ファン３３を回転させることができる。したがって、効率よくファン３３を動作させて、プリンタ装置２から発生した熱により加熱された空気を筐体４の外に排出することができる。
【０１０２】
（実施の形態４）
次に、図９Ａおよび図９Ｂを参照しながら、実施の形態４に係るプリンタ装置の構成について説明する。図９Ａは、実施の形態４に係るプリンタ装置のファンの動作を示す平面図である。図９Ｂは、実施の形態４に係るプリンタ装置のファンの動作を示す平面図である。
【０１０３】
本実施の形態に係るプリンタ装置が実施の形態１に係るプリンタ装置と異なる点は、回転体が第２の方向に回転する場合に、回転体に配置された爪がファンに配置された爪を回避する点である。
【０１０４】
図９Ａおよび図９Ｂに示すように、回転体３２は、円筒状の側壁の内周側に突出した、略三角柱状の形状を有する爪３６を有している。ファン３３は、基部３４の側壁の外周に、略三角柱状の形状を有する爪３８を有している。なお、図９Ａおよび図９Ｂでは、羽部の図示を省略している。
【０１０５】
図９Ａに示すように、爪３３６は、回転体３２を回転の軸方向からみたときに、三角形の一辺を構成する面が回転体３２の側壁に形成された穴（図示せず）内に、弾性部材（図示せず）により支持されている。爪３３６の三角形の他の一辺を構成する面３３６ａは、回転体３２の内周面に対して垂直に形成され、残りの一辺を構成する面３３６ｂは、回転体３２の内周面に対して、爪３３８の動作を妨げない方向に傾斜している。この構成により、爪３３６は、外部から押圧される力を受けた場合には回転体３２の側壁に形成された穴内に徐々に収容され、押圧される力を受けないときは穴から突出する。
【０１０６】
爪３３８と爪３３６との配置関係は、図９Ａおよび図９Ｂに示すように、爪３３８の面３３８ａと爪３３６の面３３６ａとが対向し、爪３３８の面３３８ｂと爪３３６の面３３６ｂとが対向する配置となっている。この構成により、後述するように、回転体３２が第１の方向に回転したときには、爪３３６と爪３３８とは掛かり合う。また、回転体３２が第１の方向と反対方向の第２の方向に回転したときには、爪３３６は、爪３３８から押圧される力を受けて、基部３４の穴内に徐々に収容されることにより、爪３３８と掛かり合わないように爪３３８を回避する。
【０１０７】
なお、本実施の形態において、爪３３６および爪３３８は、それぞれ、本発明における第１の凸部および第２の凸部に相当する。面３３６ａおよび面３３８ａは、本発明における第２の面に相当する。面３３６ｂおよび面３３８ｂは、本発明における第１の面に相当する。
【０１０８】
なお、上述した実施の形態では、回転体またはファンに配置される爪の構成として、回転体またはファンに配置される爪の一方が基部または回転体に形成された穴内に収容される構成について説明したが、爪の構成は穴内に収容される構成に限らない。例えば、回転体またはファンに配置される爪の一方が板状の形状を有し、一方向のみに転倒可能とすることで、もう一方の爪と掛かり合ったり回避したりする構成であってもよい。
【０１０９】
また、上述した実施の形態では、回転体またはファンに固定される爪（穴に収納されないほうの爪）として、凸状の構成（爪）について説明したが、凸状に限らず、掛かり合うことができる構成であれば、凹状の構成であってもよい。
【０１１０】
以上、本発明の実施の形態１〜４に係るプリンタ装置について説明したが、本発明は、これらの実施の形態に限定されるものではない。例えば、上記各実施の形態をそれぞれ組み合わせるとしてもよい。
【０１１１】
例えば、上述した実施の形態では、回転体またはファンに配置される爪の構成として、回転体またはファンに配置される爪の一方が基部または回転体に形成された穴内に収容される構成について説明したが、爪の構成は穴内に収容される構成に限らない。例えば、回転体またはファンに配置される爪の一方が板状の形状を有し、一方向のみに転倒可能とすることで、もう一方の爪と掛かり合ったり回避したりする構成であってもよい。
【０１１２】
また、上述した実施の形態では、回転体またはファンに固定される爪（穴に収納されないほうの爪）として、凸状の構成（爪）について説明したが、凸状に限らず、掛かり合うことができる構成であれば、凹状の構成であってもよい。
【０１１３】
また、上述した実施の形態では、プリンタ装置は、駆動部およびクラッチの動作により従動プーリから冷却部への回転の伝達を遮断したが、これに限らず、駆動部およびクラッチを備えない他の構成により、従動プーリから冷却部への回転の伝達を遮断してもよい。例えば、従動プーリと冷却部とを連結する軸を抜き差し可能な構成とすることにより、温度検出部で検出された温度が上述した所定値より高い場合に、当該軸を従動プーリから抜くことで、従動プーリと冷却部との連結を直接解除する構成であってもよい。
【０１１４】
また、排気口には、筐体内への異物の侵入を防止するための、例えばメッシュ状のカバー部材が取り付けられていてもよい。
【０１１５】
さらに、上記実施の形態及び上記変形例をそれぞれ組み合わせるとしてもよい。
【産業上の利用可能性】
【０１１６】
本発明は、例えば、記録媒体にインクを吐出することにより印刷を行うプリンタ装置として適用することができる。
【符号の説明】
【０１１７】
２  プリンタ装置
４  筐体
４ａ  リアパネル
４ｂ  フロントパネル
６  記録媒体
８  給紙トレイ
１０  排紙トレイ
１２  操作部
２０  フレーム
２１  ガイドシャフト
２２  駆動プーリ
２４  従動プーリ
２６  タイミングベルト
２８  キャリッジ
３０、１３０  冷却部
３２  回転体
３２ａ  開口部（回転体）
３２ｂ  内空部（回転体）
３３  ファン
３４  基部（ファン）
３４ａ  第１の支持部（ファン）
３４ｂ  第２の支持部（ファン）
３５、１３５  羽部（ファン）
３６、１３６、３３６  爪（第１の凸部）
３８、１３８、３３８  爪（第２の凸部）
３６ａ、３８ａ、３３６ａ、３３８ａ  面（第２の面）
３６ｂ、３８ｂ、３３６ｂ、３３８ｂ  面（第１の面）
３７ａ、１３７ａ  穴（穴部）
３７ｂ、１３７ｂ  弾性部材
４０  温度検出部
４２  排気口
２２８  クラッチ
２２９  ギア（第１のギア）
２３０  ギア（第２のギア）
２３６  駆動部
２３７  シャフト
【図１】
2016030405.tif 000003
【図２Ａ】
2016030405.tif 000004
【図２Ｂ】
2016030405.tif 000005
【図３】
2016030405.tif 000006
【図４Ａ】
2016030405.tif 000007
【図４Ｂ】
2016030405.tif 000008
【図５】
2016030405.tif 000009
【図６】
2016030405.tif 000010
【図７Ａ】
2016030405.tif 000011
【図７Ｂ】
2016030405.tif 000012
【図８Ａ】
2016030405.tif 000013
【図８Ｂ】
2016030405.tif 000014
【図９Ａ】
2016030405.tif 000015
【図９Ｂ】
2016030405.tif 000016